(57)【要約】【課題】音声処理装置が設置されたメインルームとは別の場所においても、ユーザーが、マルチチャンネル音声を聴取可能とすること。【解決手段】ＡＶレシーバー１は、メイン出力と、Ｚｏｎｅ２出力と、を有する。ＡＶレシーバー１は、２チャンネルよりも多いマルチチャンネルのデジタル音声信号をデコードするＤＳＰ５、６と、ＤＳＰ６をメイン出力、又は、Ｚｏｎｅ２出力で使用するためのスイッチ７〜１２と、マイクロコンピューター２と、を備える。マイクロコンピューター２は、Ｚｏｎｅ２から２チャンネルよりも多いマルチチャンネルの音声信号を出力する場合、スイッチ８、１０、１１、１２により、ＤＳＰ６をＺｏｎｅ２出力で使用する。【選択図】図２
2019198044.tif 000002
【特許請求の範囲】
【請求項１】
第１音声出力と、第２音声出力と、を有する音声処理装置であって、
２チャンネルよりも多いマルチチャンネルのデジタル音声信号をデコードする第１信号処理部、及び、第２信号処理部と、
前記第２信号処理部を前記第１音声出力、又は、前記第２音声出力で使用するためのスイッチと、
制御部と、を備え、
前記制御部は、所定の条件で、前記スイッチにより、前記第２信号処理部を前記第２音声出力で使用することを特徴とする音声処理装置。
【請求項２】
前記制御部は、前記所定の条件以外で、前記スイッチにより、前記第２信号処理部を前記第１音声出力で使用することを特徴とする請求項１に記載の音声処理装置。
【請求項３】
前記第２信号処理部は、前記第１信号処理部から出力される音声信号のチャンネル数を拡張することを特徴とする請求項２に記載の音声処理装置。
【請求項４】
前記スイッチは、
前記第１信号処理部と、第２スイッチ又は第３スイッチと、を接続するための第１スイッチと、
前記第１スイッチ又は第５スイッチと、前記第２信号処理部と、を接続するための前記第２スイッチと、
前記第１スイッチ又は前記第２信号処理部と、第１Ｄ／Ａコンバーターと、を接続するための前記第３スイッチと、
前記第２信号処理部と、第２Ｄ／Ａコンバーター及び／又は第６スイッチと、を接続するための第４スイッチと、
入力される音声信号を前記第２スイッチ又は前記第６スイッチに出力するための前記第５スイッチと、
前記第４スイッチ又は前記第５スイッチと、第３Ｄ／Ａコンバーターと、を接続するための前記第６スイッチと、を有することを特徴とする請求項１〜３のいずれか１項に記載の音声処理装置。
【請求項５】
前記制御部は、
前記所定の条件で、
前記第５スイッチにより、入力される音声信号を前記第２スイッチに出力し、
前記第２スイッチにより、前記第５スイッチと、前記第２信号処理部と、を接続し、
前記第２信号処理部により、音声信号を前記第４スイッチに出力し、
前記第４スイッチにより、前記第２信号処理部と、前記第２Ｄ／Ａコンバーター及び前記第６スイッチと、を接続し、
前記第６スイッチにより、前記第４スイッチと、前記第３Ｄ／Ａコンバーターと、を接続することを特徴とする請求項４に記載の音声処理装置。
【請求項６】
前記制御部は、
前記第１スイッチにより、前記第１信号処理部と、前記第３スイッチと、を接続し、
前記第３スイッチにより、前記第１スイッチと、前記第１Ｄ／Ａコンバーターと、を接続することを特徴とする請求項５に記載の音声処理装置。
【請求項７】
前記制御部は、
前記所定の条件以外で、
前記第１スイッチにより、前記第１信号処理部と、前記第２スイッチと、を接続し、
前記第２スイッチにより、前記第１スイッチと、前記第２信号処理部と、を接続し、
前記第２信号処理部により、前記第３スイッチと、前記第４スイッチと、に音声信号を出力し、
前記第３スイッチにより、前記第２信号処理部と、前記第１Ｄ／Ａコンバーターと、を接続し、
前記第４スイッチにより、前記第２信号処理部と、前記第２Ｄ／Ａコンバーターと、を接続することを特徴とする請求項４に記載の音声処理装置。
【請求項８】
前記制御部は、
前記第５スイッチにより、入力される音声信号を前記第６スイッチに出力し、
前記第６スイッチにより、前記第５スイッチと、前記第３Ｄ／Ａコンバーターと、を接続することを特徴とする請求項７に記載の音声処理装置。
【請求項９】
前記所定の条件は、前記第２音声出力に２チャンネルよりも多いマルチチャンネルの音声信号を出力することであることを特徴とする請求項１〜８のいずれか１項に記載の音声処理装置。
【請求項１０】
前記所定の条件は、前記第２音声出力で異なる２組のスピーカーが使用されることであることを特徴とする請求項１〜８のいずれか１項に記載の音声処理装置。
【請求項１１】
前記所定の条件は、前記第２音声出力にＢＴＬ出力することであることを特徴とする請求項１〜８のいずれか１項に記載の音声処理装置。
【請求項１２】
前記所定の条件は、前記第２音声出力にバイアンプ出力することであることを特徴とする請求項１〜８のいずれか１項に記載の音声処理装置。
【発明の詳細な説明】
【技術分野】
【０００１】
本発明は、音声信号に音声信号処理を行う音声処理装置に関する。
【背景技術】
【０００２】
デジタル音声信号に、デコード、Ｄ／Ａ変換、増幅等の音声信号処理を行う音声処理装置として、ＡＶレシーバーがある。特許文献１に記載のＡＶレシーバーは、デジタル音声信号に音声信号処理を行って、メインルームに配置されているメインスピーカーにアナログ音声信号を出力する（メイン出力）。また、特許文献１に記載のＡＶレシーバーは、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力）。
【先行技術文献】
【特許文献】
【０００３】
【特許文献１】特開２０１３−０４６２６５号公報
【発明の概要】
【発明が解決しようとする課題】
【０００４】
従来のＡＶレシーバーは、メイン出力には、マルチチャンネル出力可能であるが、Ｚｏｎｅ２出力には、２チャンネルのみ出力可能である。このため、ユーザーは、ＡＶレシーバーを移動しない限り、Ｚｏｎｅ２ルームでマルチチャンネル音声を聴取することはできない。また、同様に、Ｚｏｎｅ２ルームで異なる２組のスピーカーを使用すること（スピーカーＡ／Ｂ）、ＢＴＬ（Bridged Transformer Less）出力、バイアンプ出力を実現することは困難である。
【０００５】
本発明の目的は、音声処理装置が設置されたメインルームとは別の場所においても、ユーザーが、様々な音声を聴取可能とすることである。
【課題を解決するための手段】
【０００６】
第１の発明の音声処理装置は、第１音声出力と、第２音声出力と、を有する音声処理装置であって、２チャンネルよりも多いマルチチャンネルのデジタル音声信号をデコードする第１信号処理部、及び、第２信号処理部と、前記第２信号処理部を前記第１音声出力、又は、前記第２音声出力で使用するためのスイッチと、制御部と、を備え、前記制御部は、所定の条件で、前記スイッチにより、前記第２信号処理部を前記第２音声出力で使用することを特徴とする。
【０００７】
本発明では、制御部は、所定の条件で、スイッチにより、第２信号処理部を第２音声出力で使用する。これにより、第２信号処理部により、マルチチャンネルの音声信号をデコード可能であるため、第２音声出力からの音声信号が出力されるスピーカー端子に、音声処理装置が設置されたメインルームとは別の場所に設置されたスピーカーを接続すれば、メインルームとは別の場所においても、ユーザーは、例えば、マルチチャンネル音声を聴取することができる。このように、本発明によれば、ユーザーは、メインルームとは別の場所においても、様々な音声を聴取することができる。
【０００８】
第２の発明の音声処理装置は、第１の発明の音声処理装置において、前記制御部は、前記所定の条件以外で、前記スイッチにより、前記第２信号処理部を前記第１音声出力で使用することを特徴とする。
【０００９】
第３の発明の音声処理装置は、第２の発明の音声処理装置において、前記第２信号処理部は、前記第１信号処理部から出力される音声信号のチャンネル数を拡張することを特徴とする。
【００１０】
第４の発明の音声処理装置は、第１〜第３のいずれかの発明の音声処理装置において、前記スイッチは、前記第１信号処理部と、第２スイッチ又は第３スイッチと、を接続するための第１スイッチと、前記第１スイッチ又は第５スイッチと、前記第２信号処理部と、を接続するための前記第２スイッチと、前記第１スイッチ又は前記第２信号処理部と、第１Ｄ／Ａコンバーターと、を接続するための前記第３スイッチと、前記第２信号処理部と、第２Ｄ／Ａコンバーター及び／又は第６スイッチと、を接続するための第４スイッチと、入力される音声信号を前記第２スイッチ又は前記第６スイッチに出力するための前記第５スイッチと、前記第４スイッチ又は前記第５スイッチと、第３Ｄ／Ａコンバーターと、を接続するための前記第６スイッチと、を有することを特徴とする。
【００１１】
第５の発明の音声処理装置は、第４の発明の音声処理装置において、前記制御部は、前記所定の条件で、前記第５スイッチにより、入力される音声信号を前記第２スイッチに出力し、前記第２スイッチにより、前記第５スイッチと、前記第２信号処理部と、を接続し、前記第２信号処理部により、音声信号を前記第４スイッチに出力し、前記第４スイッチにより、前記第２信号処理部と、前記第２Ｄ／Ａコンバーター及び前記第６スイッチと、を接続し、前記第６スイッチにより、前記第４スイッチと、前記第３Ｄ／Ａコンバーターと、を接続することを特徴とする。
【００１２】
第６の発明の音声処理装置は、第５の発明の音声処理装置において、前記制御部は、前記第１スイッチにより、前記第１信号処理部と、前記第３スイッチと、を接続し、前記第３スイッチにより、前記第１スイッチと、前記第１Ｄ／Ａコンバーターと、を接続することを特徴とする。
【００１３】
第７の発明の音声処理装置は、第１〜第３の発明のいずれかの音声処理装置において、前記制御部は、前記所定の条件以外で、前記第１スイッチにより、前記第１信号処理部と、前記第２スイッチと、を接続し、前記第２スイッチにより、前記第１スイッチと、前記第２信号処理部と、を接続し、前記第２信号処理部により、前記第３スイッチと、前記第４スイッチと、に音声信号を出力し、前記第３スイッチにより、前記第２信号処理部と、前記第１Ｄ／Ａコンバーターと、を接続し、前記第４スイッチにより、前記第２信号処理部と、前記第２Ｄ／Ａコンバーターと、を接続することを特徴とする。
【００１４】
第８の発明の音声処理装置は、第７の発明の音声処理装置において、前記制御部は、前記第５スイッチにより、入力される音声信号を前記第６スイッチに出力し、前記第６スイッチにより、前記第５スイッチと、前記第３Ｄ／Ａコンバーターと、を接続することを特徴とする。
【００１５】
第９の発明の音声処理装置は、第１〜第８のいずれかの発明の音声処理装置において、前記所定の条件は、前記第２音声出力に２チャンネルよりも多いマルチチャンネルの音声信号を出力することであることを特徴とする。
【００１６】
本発明では、制御部は、第２音声出力に２チャンネルよりも多いマルチチャンネルの音声信号を出力する場合、スイッチにより、第２信号処理部を第２音声出力で使用する。これにより、第２信号処理部により、マルチチャンネルの音声信号をデコード可能であるため、第２音声出力からの音声信号が出力されるスピーカー端子に、音声処理装置が設置されたメインルームとは別の場所に設置されたスピーカーを接続すれば、メインルームとは別の場所においても、ユーザーは、マルチチャンネル音声を聴取することができる。
【００１７】
第１０の発明の音声処理装置は、第１〜第８のいずれかの発明の音声処理装置において、前記所定の条件は、前記第２音声出力で異なる２組のスピーカーが使用されることであることを特徴とする。
【００１８】
本発明では、制御部は、第２音声出力で異なる２組のスピーカーが使用される場合、スイッチにより、第２信号処理部を第２音声出力で使用する。これにより、第２信号処理部により、マルチチャンネルの音声信号をデコード可能であるため、第２音声出力からの音声信号が出力されるスピーカー端子に、異なる２組のスピーカーを接続可能となる。
【００１９】
第１１の発明の音声処理装置は、第１〜第８のいずれかの発明の音声処理装置において、前記所定の条件は、前記第２音声出力にＢＴＬ出力することであることを特徴とする。
【００２０】
本発明では、制御部は、第２音声出力にＢＴＬ出力する場合、スイッチにより、第２信号処理部を第２音声出力で使用する。これにより、第２信号処理部により、マルチチャンネルの音声信号をデコード可能であるため、第２音声出力にＢＴＬ出力することができる。
【００２１】
第１２の発明の音声処理装置は、第１〜第８のいずれかの発明の音声処理装置において、前記所定の条件は、前記第２音声出力にバイアンプ出力することであることを特徴とする。
【００２２】
本発明では、制御部は、第２音声出力にバイアンプ出力する場合、スイッチにより、第２信号処理部を第２音声出力で使用する。これにより、第２信号処理部により、マルチチャンネルの音声信号をデコード可能であるため、第２音声出力にバイアンプ出力することができる。
【発明の効果】
【００２３】
本発明によれば、メインルームとは別の場所においても、ユーザーは、様々な音声を聴取することができる。
【図面の簡単な説明】
【００２４】
【図１】本発明の第１実施形態に係るＡＶレシーバーの構成を示すブロック図である。
【図２】本発明の第１実施形態に係るＡＶレシーバーの構成を示すブロック図である。
【図３】本発明の第２実施形態に係るＡＶレシーバーの構成を示すブロック図である。
【図４】本発明の第３実施形態に係るＡＶレシーバーの構成を示すブロック図である。
【図５】本発明の第４実施形態に係るＡＶレシーバーの構成を示すブロック図である。
【発明を実施するための形態】
【００２５】
（第１実施形態）
以下、本発明の実施形態について説明する。図１及び図２は、本発明の第１実施形態に係るＡＶレシーバーの構成を示すブロック図である。ＡＶレシーバー１は、デジタル音声信号に音声信号処理を行って、メインルームに配置されているメインスピーカーにアナログ音声信号を出力する（メイン出力（第１音声出力））。また、ＡＶレシーバー１は、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力（第２音声出力））。
【００２６】
ＡＶレシーバー１は、マイクロコンピューター２、ＤＩＲ（Digital Audio Interface Receiver）３、４、ＤＳＰ（Digital Signal Processor）５、６、スイッチ７〜１２、Ｄ／Ａコンバーター（以下、「ＤＡＣ」という。）１３〜１５等を備える。
【００２７】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、ＡＶレシーバー１を構成する各部を制御する。すなわち、マイクロコンピューター２は、ＡＶレシーバー１を構成する各部を制御する。ＲＡＭは、ＣＰＵが各種制御処理を実行する際にＲＯＭから読み出したプログラム、ＣＰＵが各種制御処理を実行する際に必要なデータ等を一時的に記憶する。ＲＡＭは、電源の供給が遮断されると、記憶しているデータが消失する揮発性メモリである。
【００２８】
ＤＩＲ３、４は、ＳＰＤＩＦ信号を、Ｉ２Ｓ信号に変換する。ＳＰＤＩＦ信号は、機器間転送するための規格に従ったデジタル音声信号である。Ｉ２Ｓ信号は、シリアル転送するための規格に従ったデジタル音声信号である。ＤＩＲ３には、メインスピーカーに出力される音声信号が入力される（メイン出力用）。例えば、ＤＩＲ３には、７．１チャンネルのデジタル音声信号が入力される。ＤＩＲ４には、Ｚｏｎｅ２スピーカーに出力される音声信号が入力される（Ｚｏｎｅ２用）。例えば、ＤＩＲ４には、２チャンネルのデジタル音声信号が入力される。
【００２９】
ＤＳＰ５（第１信号処理部）は、ＤＩＲ３から出力されるデジタル音声信号をデコードする。ＤＳＰ５は、例えば、最大７．１チャンネルのデジタル音声信号をデコード可能である。ＤＳＰ６（第２信号処理部）は、図１に示す場合、ＤＳＰ５から出力されるデジタル音声信号のチャンネル数を拡張する。例えば、ＤＳＰ６は、ＤＳＰ５から出力されるデジタル音声信号のチャンネル数が、７．１チャンネルである場合、デジタル音声信号のチャンネル数を、９．１チャンネルに拡張する（フロントレフト、フロントライト（Ｆ）、センター（Ｃ）、サラウンドレフト、サラウンドライト（ＳＲ）、サブウーファー（ＳＷ）、ハイト１（Ｈ１）、ハイト２（Ｈ２））。
【００３０】
スイッチ７〜１２は、ＤＳＰ６をメイン出力、又は、Ｚｏｎｅ２出力で使用するためのスイッチである。スイッチ７（第１スイッチ）は、ＤＳＰ５と、スイッチ８又はスイッチ９とを接続するためのスイッチである。図１に示す場合、マイクロコンピューター２は、スイッチ７により、ＤＳＰ５と、スイッチ８と、を接続している。スイッチ８（第２スイッチ）は、スイッチ７又はスイッチ１１と、ＤＳＰ６と、を接続するためのスイッチである。図１に示す場合、マイクロコンピューター２は、スイッチ８により、スイッチ７と、ＤＳＰ６と、を接続している。スイッチ９（第３スイッチ）は、ＤＳＰ６又はスイッチ７と、ＤＡＣ１３と、を接続するためのスイッチである。図１に示す場合、マイクロコンピューター２は、スイッチ９により、ＤＳＰ６と、ＤＡＣ１３と、を接続している。
【００３１】
また、図１に示す場合、マイクロコンピューター２は、ＤＳＰ６により、デジタル音声信号を、スイッチ９、１０に出力している。マイクロコンピューター２は、ＤＳＰ６により、例えば、フロント（Ｆ）、センター（Ｃ）、サラウンド（ＳＲ）、サブウーファー（ＳＷ）のデジタル音声信号（５．１チャンネル）を、スイッチ９に出力する。マイクロコンピューター２は、ＤＳＰ６により、ハイト１（Ｈ１）、ハイト２（Ｈ２）のデジタル音声信号（４チャンネル）を、スイッチ１０に出力する。
【００３２】
スイッチ１０（第４スイッチ）は、ＤＳＰ６と、ＤＡＣ１４又は／及びスイッチ１２と、を接続するためのスイッチである。図１に示す場合、マイクロコンピューター２は、スイッチ１０により、ＤＳＰ６と、ＤＡＣ１４と、を接続している。スイッチ１１（第５スイッチ）は、ＤＩＲ４と、スイッチ８又はスイッチ１２と、を接続するためのスイッチである。すなわち、スイッチ１１は、ＤＩＲ４に入力されるデジタル音声信号を、スイッチ８又はスイッチ１２に出力するためのスイッチである。図１に示す場合、マイクロコンピューター２は、スイッチ１１により、ＤＩＲ４と、スイッチ１２と、を接続している。すなわち、マイクロコンピューター２は、スイッチ１１により、ＤＩＲ４に入力されるデジタル音声信号を、スイッチ１２に出力している。スイッチ１２（第６スイッチ）は、スイッチ１１又はスイッチ１０と、ＤＡＣ１５と、を接続するためのスイッチである。図１に示す場合、マイクロコンピューター２は、スイッチ１２により、スイッチ１１と、ＤＡＣ１５と、を接続している。
【００３３】
ＤＡＣ１３〜１５は、デジタル音声信号をアナログ音声信号にＤ／Ａ変換するものである。ＤＡＣ１３（第１Ｄ／Ａコンバーター）は、２チャンネルＤＡＣを３つ含む。ＤＡＣ１４（第２Ｄ／Ａコンバーター）は、２チャンネルＤＡＣを２つ含む。ＤＡＣ１５（第３Ｄ／Ａコンバーター）は、２チャンネルＤＡＣを１つ含む。図１に示す場合、ＤＡＣ１３は、例えば、フロント（Ｆ）、センター（Ｃ）、サラウンド（ＳＲ）、サブウーファー（ＳＷ）のデジタル音声信号を、アナログ音声信号にＤ／Ａ変換する。図１に示す場合、ＤＡＣ１４は、例えば、ハイト１（Ｈ１）、ハイト２（Ｈ２）のデジタル音声信号を、アナログ音声信号にＤ／Ａ変換する。ＤＡＣ１３は、常に、メイン出力用として使用される。ＤＡＣ１４は、図１に示す場合、メイン出力用として使用される。ＤＡＣ１３、１４からの９．１チャンネルのアナログ音声信号は、スピーカー端子に出力される。９．１チャンネルのアナログ音声信号が出力されるスピーカー端子には、メインルームに設置された９．１チャンネルのスピーカーが接続される（メイン出力）。
【００３４】
ＤＡＣ１５は、ＤＩＲ４から出力されるデジタル音声信号を、アナログ音声信号にＤ／Ａ変換する。ＤＡＣ１５は、例えば、フロント（Ｆ）のデジタル音声信号を、アナログ音声信号にＤ／Ａ変換する。ＤＡＣ１５は、常に、Ｚｏｎｅ２出力用として使用される。ＤＡＣ１５からの２チャンネルのアナログ音声信号は、スピーカー端子に出力される。２チャンネルのアナログ音声信号が出力されるスピーカー端子には、Ｚｏｎｅ２ルームに設置された２チャンネルのスピーカーが接続される（Ｚｏｎｅ２出力）。
【００３５】
このように、マイクロコンピューター２は、Ｚｏｎｅ出力に２チャンネルの音声信号を出力する場合、スイッチ８、１０、１１、１２により、ＤＳＰ６をメイン出力で使用する。
【００３６】
図１に示す場合、メインルームに設置された９．１チャンネルのスピーカーに、９．１チャンネルのアナログ音声信号が出力され、Ｚｏｎｅ２ルームに設置された２チャンネルのスピーカーに２チャンネルのアナログ音声信号が出力される（メイン：９．１チャンネル、Ｚｏｎｅ２：２チャンネル）。以下、図２に基づいて、メインルームに設置された５．１チャンネルのスピーカーに、５．１チャンネルのアナログ音声信号が出力され、Ｚｏｎｅ２ルームに設置された５．１チャンネルのスピーカーに、５．１チャンネルのアナログ音声信号が出力される場合について説明する。
【００３７】
ＤＩＲ３には、５．１チャンネル（フロント（Ｆ）、センター（Ｃ）、サラウンド（ＳＲ）、サブウーファー（ＳＷ））のデジタル音声信号が入力される。ＤＩＲ３は、５．１チャンネルのＳＰＤＩＦ信号を、５．１チャンネルのＩ２Ｓ信号に変換する。ＤＳＰ５は、ＤＩＲ３からの５．１チャンネルのデジタル音声信号をデコードする。マイクロコンピューター２は、スイッチ７により、ＤＳＰ５と、スイッチ９と、を接続している。マイクロコンピューター２は、スイッチ９により、スイッチ７と、ＤＡＣ１３と、を接続している。ＤＡＣ１３は、ＤＳＰ１３からの５．１チャンネルのデジタル音声信号を、５．１チャンネルのアナログ音声信号にＤ／Ａ変換する。ＤＡＣ１３からの５．１チャンネルのアナログ音声信号は、スピーカー端子に出力される。５．１チャンネルのアナログ音声信号が出力されるスピーカー端子には、メインルームに設置された５．１チャンネルのスピーカーが接続される（メイン出力）。
【００３８】
ＤＩＲ４には、５．１チャンネル（フロント（Ｆ）、センター（Ｃ）、サラウンド（ＳＲ）、サブウーファー（ＳＷ））のデジタル音声信号が入力される。ＤＩＲ４は、５．１チャンネルのＳＰＤＩＦ信号を、５．１チャンネルのＩ２Ｓ信号に変換する。マイクロコンピューター２は、スイッチ１１により、ＤＩＲ４と、スイッチ８と、を接続している。マイクロコンピューター２は、スイッチ８により、スイッチ１１と、ＤＳＰ６と、を接続している。ＤＳＰ６は、ＤＩＲ４からの５．１チャンネルのデジタル音声信号をデコードする。マイクロコンピューター２は、ＤＳＰ６により、５．１チャンネルのデジタル音声信号を、スイッチ１０に出力する。マイクロコンピューター２は、スイッチ１０により、ＤＳＰ６と、スイッチ１２及びＤＡＣ１４と、を接続する。マイクロコンピューター２は、スイッチ１０により、ＤＡＣ１４に、３．１チャンネル（センター（Ｃ）、サラウンド（ＳＲ）、サブウーファー（ＳＷ））のデジタル音声信号を出力する。また、マイクロコンピューター２は、スイッチ１０により、スイッチ１２に２チャンネル（フロント（Ｆ））のデジタル音声信号を出力する。マイクロコンピューター２は、スイッチ１２により、スイッチ１０と、ＤＡＣ１５と、を接続する。
【００３９】
ＤＡＣ１４は、３．１チャンネルのデジタル音声信号を、３．１チャンネルのアナログ音声信号にＤ／Ａ変換する。ＤＡＣ１５には、２チャンネルのデジタル音声信号が入力される。ＤＡＣ１５は、２チャンネルのデジタル音声信号を、２チャンネルのアナログ音声信号にＤ／Ａ変換する。ＤＡＣ１４、１５からの５．１チャンネルのアナログ音声信号は、スピーカー端子に出力される。５．１チャンネルのアナログ音声信号が出力されるスピーカー端子には、Ｚｏｎｅ２ルームに設置された５．１チャンネルのスピーカーが接続される。図２に示す場合においては、ＤＡＣ１４は、Ｚｏｎｅ２出力用として、使用される。
【００４０】
このように、マイクロコンピューター２は、Ｚｏｎｅ２出力に２チャンネルよりも多いマルチチャンネル（５．１チャンネル）の音声信号を出力する場合、スイッチ８、１０、１１、１２により、ＤＳＰ６をＺｏｎｅ出力で使用する。これにより、ＤＳＰ６は、マルチチャンネルの音声信号をデコード可能であるため、Ｚｏｎｅ２出力からの音声信号が出力されるスピーカー端子に、ＡＶレシーバー１が設置されたメインルームとは別の場所に設置されたスピーカーを接続すれば、メインルームとは別の場所においても、ユーザーは、マルチチャンネル音声を聴取することができる。
【００４１】
なお、「メイン出力」とは、メインルームに設置されたメインスピーカーに音声信号が出力されることをいう。また、「Ｚｏｎｅ２出力」とは、Ｚｏｎｅ２ルームに設置されたメインスピーカーに音声信号が出力されることをいう。上述のように、ＤＡＣ１４は、メイン出力、Ｚｏｎｅ２出力にも使用される。また、ＤＡＣ１４からの音声信号が出力されるスピーカー端子には、メインスピーカー（Ｈ１、Ｈ２）、又は、Ｚｏｎｅ２スピーカー（Ｃ、ＳＲ、ＳＷ）が接続される。
【００４２】
（第２実施形態）
第２実施形態では、Ｚｏｎｅ２出力で異なる２組のスピーカー（スピーカーＡ、スピーカーＢ）が使用される。図３は、本発明の第２実施形態に係るＡＶレシーバーの構成を示すブロック図である。ＤＩＲ３には、７．１チャンネル（フロント（Ｆ）、センター（Ｃ）、サラウンド（ＳＲ）、サブウーファー（ＳＷ）、ハイト１（Ｈ１））のデジタル音声信号が入力される。ＤＩＲ３は、７．１チャンネルのＳＰＤＩＦ信号を、７．１チャンネルのＩ２Ｓ信号に変換する。ＤＳＰ５は、ＤＩＲ３からの７．１チャンネルのデジタル音声信号をデコードする。マイクロコンピューター２は、スイッチ７により、ＤＳＰ５と、スイッチ９と、を接続している。マイクロコンピューター２は、スイッチ９により、スイッチ７と、ＤＡＣ１３と、を接続している。ＤＡＣ１３は、４つの２チャンネルＤＡＣを含む。ＤＡＣ１３は、ＤＳＰ１３からの７．１チャンネルのデジタル音声信号を、７．１チャンネルのアナログ音声信号にＤ／Ａ変換する。ＤＡＣ１３からの７．１チャンネルのアナログ音声信号は、スピーカー端子に出力される。７．１チャンネルのアナログ音声信号が出力されるスピーカー端子には、メインルームに設置された７．１チャンネルのスピーカーが接続される（メイン出力）。
【００４３】
ＤＩＲ４には、デジタル音声信号が入力される。ＤＩＲ４は、ＳＰＤＩＦ信号を、Ｉ２Ｓ信号に変換する。マイクロコンピューター２は、スイッチ１１により、ＤＩＲ４と、スイッチ８と、を接続している。マイクロコンピューター２は、スイッチ８により、スイッチ１１と、ＤＳＰ６と、を接続している。ＤＳＰ６は、ＤＩＲ４からのデジタル音声信号をデコードする。マイクロコンピューター２は、ＤＳＰ６により、デジタル音声信号を、スイッチ１０に出力する。マイクロコンピューター２は、スイッチ１０により、ＤＳＰ６と、スイッチ１２及びＤＡＣ１４と、を接続する。マイクロコンピューター２は、スイッチ１０により、ＤＡＣ１４に２チャンネル（フロント（Ｆ））のデジタル音声信号を出力する。また、マイクロコンピューター２は、スイッチ１０により、スイッチ１２に２チャンネル（フロント（Ｆ））のデジタル音声信号を出力する。マイクロコンピューター２は、スイッチ１２により、スイッチ１０と、ＤＡＣ１５と、を接続する。
【００４４】
ＤＡＣ１４は、２チャンネルのデジタル音声信号を、２チャンネルのアナログ音声信号にＤ／Ａ変換する。ＤＡＣ１５には、２チャンネルのデジタル音声信号が入力される。ＤＡＣ１５は、２チャンネルのデジタル音声信号を、２チャンネルのアナログ音声信号にＤ／Ａ変換する。ＤＡＣ１４からの２チャンネルのアナログ音声信号は、スピーカー端子に出力される。ＤＡＣ１５からの２チャンネルのアナログ音声信号は、スピーカー端子に出力される。ＤＡＣ１４からのアナログ音声信号が出力されるスピーカー端子には、Ｚｏｎｅ２ルームに設置された２チャンネルのスピーカーが接続される（スピーカーＢ）。ＤＡＣ１５からのアナログ音声信号が出力されるスピーカー端子には、Ｚｏｎｅ２ルームに設置された２チャンネルのスピーカーが接続される（スピーカーＡ）。
【００４５】
このように、マイクロコンピューター２は、Ｚｏｎｅ２出力で異なる２組のスピーカーが使用される場合、スイッチ８、１０、１１、１２により、ＤＳＰ６をＺｏｎｅ出力で使用する。これにより、ＤＳＰ６は、マルチチャンネルの音声信号をデコード可能であるため、Ｚｏｎｅ２出力からの音声信号が出力されるスピーカー端子に、異なる２組のスピーカーを接続可能となる。
【００４６】
（第３実施形態）
第３実施形態では、Ｚｏｎｅ２出力にＢＴＬ出力する。図４は、本発明の第３実施形態に係るＡＶレシーバーの構成を示すブロック図である。ＤＩＲ３には、７．１チャンネル（フロント（Ｆ）、センター（Ｃ）、サラウンド（ＳＲ）、サブウーファー（ＳＷ）、ハイト１（Ｈ１））のデジタル音声信号が入力される。ＤＩＲ３は、７．１チャンネルのＳＰＤＩＦ信号を、７．１チャンネルのＩ２Ｓ信号に変換する。ＤＳＰ５は、ＤＩＲ３からの７．１チャンネルのデジタル音声信号をデコードする。マイクロコンピューター２は、スイッチ７により、ＤＳＰ５と、スイッチ９と、を接続している。マイクロコンピューター２は、スイッチ９により、スイッチ７と、ＤＡＣ１３と、を接続している。ＤＡＣ１３は、４つの２チャンネルＤＡＣを含む。ＤＡＣ１３は、ＤＳＰ１３からの７．１チャンネルのデジタル音声信号を、７．１チャンネルのアナログ音声信号にＤ／Ａ変換する。ＤＡＣ１３からの７．１チャンネルのアナログ音声信号は、スピーカー端子に出力される。７．１チャンネルのアナログ音声信号が出力されるスピーカー端子には、メインルームに設置された７．１チャンネルのスピーカーが接続される（メイン出力）。
【００４７】
ＤＩＲ４には、デジタル音声信号が入力される。ＤＩＲ４は、ＳＰＤＩＦ信号を、Ｉ２Ｓ信号に変換する。マイクロコンピューター２は、スイッチ１１により、ＤＩＲ４と、スイッチ８と、を接続している。マイクロコンピューター２は、スイッチ８により、スイッチ１１と、ＤＳＰ６と、を接続している。ＤＳＰ６は、ＤＩＲ４からのデジタル音声信号をデコードする。マイクロコンピューター２は、ＤＳＰ６により、デジタル音声信号を、スイッチ１０に出力する。マイクロコンピューター２は、スイッチ１０により、ＤＳＰ６と、スイッチ１２及びＤＡＣ１４と、を接続する。マイクロコンピューター２は、スイッチ１０により、ＤＡＣ１４に正相と逆相のデジタル音声信号（フロント（Ｆ））を出力する。また、マイクロコンピューター２は、スイッチ１２に正相と逆相のデジタル音声信号（フロント（Ｆ））を出力する。マイクロコンピューター２は、スイッチ１２により、スイッチ１０と、ＤＡＣ１５と、を接続する。
【００４８】
ＤＡＣ１４は、デジタル音声信号を、アナログ音声信号にＤ／Ａ変換する。ＤＡＣ１５には、正相と逆相のデジタル音声信号が入力される。ＤＡＣ１５は、デジタル音声信号を、アナログ音声信号にＤ／Ａ変換する。ＤＡＣ１４、１５からのアナログ音声信号は、スピーカー端子に出力される。ＤＡＣ１４、１５からのアナログ音声信号が出力されるスピーカー端子には、Ｚｏｎｅ２ルームに設置されたスピーカーが接続される。
【００４９】
このように、マイクロコンピューター２は、Ｚｏｎｅ２出力にＢＴＬ出力する場合、スイッチ８、１０、１１、１２により、ＤＳＰ６をＺｏｎｅ出力で使用する。これにより、ＤＳＰ６は、マルチチャンネルの音声信号をデコード可能であるため、Ｚｏｎｅ２出力にＢＴＬ出力することができる。
【００５０】
（第４実施形態）
第４実施形態では、Ｚｏｎｅ２出力にバイアンプ出力する。図４は、本発明の第４実施形態に係るＡＶレシーバーの構成を示すブロック図である。ＤＩＲ３には、５．１チャンネル（フロント（Ｆ）、センター（Ｃ）、サラウンド（ＳＲ）、サブウーファー（ＳＷ））のデジタル音声信号が入力される。ＤＩＲ３は、５．１チャンネルのＳＰＤＩＦ信号を、５．１チャンネルのＩ２Ｓ信号に変換する。ＤＳＰ５は、ＤＩＲ３からの５．１チャンネルのデジタル音声信号をデコードする。マイクロコンピューター２は、スイッチ７により、ＤＳＰ５と、スイッチ９と、を接続している。マイクロコンピューター２は、スイッチ９により、スイッチ７と、ＤＡＣ１３と、を接続している。ＤＡＣ１３は、３つの２チャンネルＤＡＣを含む。ＤＡＣ１３は、ＤＳＰ１３からの５．１チャンネルのデジタル音声信号を、５．１チャンネルのアナログ音声信号にＤ／Ａ変換する。ＤＡＣ１３からの５．１チャンネルのアナログ音声信号は、スピーカー端子に出力される。５．１チャンネルのアナログ音声信号が出力されるスピーカー端子には、メインルームに設置された５．１チャンネルのスピーカーが接続される（メイン出力）。
【００５１】
ＤＩＲ４には、３．１チャンネル（フロント（Ｆ）、センター（Ｃ）、サブウーファー（ＳＷ））のデジタル音声信号が入力される。ＤＩＲ４は、３．１チャンネルのＳＰＤＩＦ信号を、３．１チャンネルのＩ２Ｓ信号に変換する。マイクロコンピューター２は、スイッチ１１により、ＤＩＲ４と、スイッチ８と、を接続している。マイクロコンピューター２は、スイッチ８により、スイッチ１１と、ＤＳＰ６と、を接続している。ＤＳＰ６は、ＤＩＲ４からの３．１チャンネルデジタル音声信号をデコードする。マイクロコンピューター２は、ＤＳＰ６により、３．１チャンネルのデジタル音声信号を、スイッチ１０に出力する。マイクロコンピューター２は、スイッチ１０により、ＤＳＰ６と、スイッチ１２及びＤＡＣ１４と、を接続する。マイクロコンピューター２は、スイッチ１０により、ＤＡＣ１４にフロント（Ｆ（バイアンプ））、センター（Ｃ）、サブウーファー（ＳＷ）のデジタル音声信号を出力する。また、マイクロコンピューター２は、スイッチ１０により、ＤＳＰ６と、スイッチ１２と、を接続し、スイッチ１２にフロント（Ｆ（バイアンプ）のデジタル音声信号を出力する。マイクロコンピューター２は、スイッチ１２により、スイッチ１０と、ＤＡＣ１５と、を接続する。
【００５２】
ＤＡＣ１４は、デジタル音声信号を、アナログ音声信号にＤ／Ａ変換する。ＤＡＣ１５には、フロント（Ｆ（バイアンプ））のデジタル音声信号が入力される。ＤＡＣ１５は、デジタル音声信号を、アナログ音声信号にＤ／Ａ変換する。ＤＡＣ１４、１５からのアナログ音声信号は、スピーカー端子に出力される。ＤＡＣ１４、１５からのアナログ音声信号が出力されるスピーカー端子には、Ｚｏｎｅ２ルームに設置された３．１チャンネルのスピーカーが接続される。
【００５３】
なお、フロント（Ｆ（バイアンプ））の信号は、ローパスフィルタリングされた信号と、ハイパスフィルタリングされた信号と、である。
【００５４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５５】
上述の実施形態においては、図１に示す場合、メインルームに設置された９．１チャンネルのスピーカーに、９．１チャンネルのアナログ音声信号が出力され、Ｚｏｎｅ２ルームに設置された２チャンネルのスピーカーに２チャンネルのアナログ音声信号が出力される（メイン：９．１チャンネル、Ｚｏｎｅ２：２チャンネル）。また、図２に示す場合、メインルームに設置された５．１チャンネルのスピーカーに、５．１チャンネルのアナログ音声信号が出力され、Ｚｏｎｅ２ルームに設置された５．１チャンネルのスピーカーに、５．１チャンネルのアナログ音声信号が出力される（メイン：５．１チャンネル、Ｚｏｎｅ２：５．１チャンネル）。チャンネル数は、上述の実施形態に限られない。
【００５６】
上述の実施形態においては、音声処理装置として、ＡＶレシーバーを例示した。これに限らず、他の音声処理装置であってもよい。
【産業上の利用可能性】
【００５７】
本発明は、音声信号に音声信号処理を行う音声処理装置に好適に採用され得る。
【符号の説明】
【００５８】
１  ＡＶレシーバー（音声処理装置）
２  マイクロコンピューター（制御部）
３、４  ＤＩＲ
５  ＤＳＰ（第１信号処理部）
６  ＤＳＰ（第２信号処理部）
７  スイッチ（第１スイッチ）
８  スイッチ（第２スイッチ）
９  スイッチ（第３スイッチ）
１０  スイッチ（第４スイッチ）
１１  スイッチ（第５スイッチ）
１２  スイッチ（第６スイッチ）
１３  ＤＡＣ（第１Ｄ／Ａコンバーター）
１４  ＤＡＣ（第２Ｄ／Ａコンバーター）
１５  ＤＡＣ（第３Ｄ／Ａコンバーター）
【図１】
2019198044.tif 000003
【図２】
2019198044.tif 000004
【図３】
2019198044.tif 000005
【図４】
2019198044.tif 000006
【図５】
2019198044.tif 000007